(57)【要約】【課題】ハードスイッチング損失を低減させ、スイッチング周波数の高周波化を可能とする昇降圧チョッパ回路を提供する。【解決手段】直流電源１に第１のトランジスタ４と第１のダイオード６の直列回路が並列接続され、出力負荷側には、コンデンサ１３及び第２のダイオード１２と第２のトランジスタ８の直列回路が並列接続される。第１のトランジスタ４と第１のダイオード６の直列回路の接続点と第２のダイオード１２と第２のトランジスタ８の直列回路の接続点に第１のリアクトル７が接続される。第１のトランジスタ４と第２のトランジスタ８のそれぞれのコレクタとエミッタ間には実効的な共振コンデンサ５、９が並列接続され、第１と第２のトランジスタ４，８のオフ動作時に共振コンデンサ５、９にそれぞれのトランジスタのコレクタ電流を流してソフトスイッチングを行わせる。また、共振コンデンサ５に蓄えられた電荷を放出して共振コンデンサ５の電荷が零になった時点で第１のトランジスタ４をオンさせて零電圧スイッチングを行わせる。【選択図】図１
2005185037.tif 000002
【特許請求の範囲】
【請求項１】
直流電源に第１のトランジスタと第１のダイオードの直列回路が並列接続され、出力負荷側には、コンデンサ及び第２のダイオードと第２のトランジスタの直列回路が並列接続され、
前記第１のトランジスタと第１のダイオードの直列回路の接続点と第２のダイオードと第２のトランジスタの直列回路の接続点に第１のリアクトルが接続された昇降圧チョッパ回路において、
前記第１のトランジスタと第２のトランジスタのそれぞれのコレクタとエミッタ間には実効的な共振コンデンサが並列接続され、前記第１と第２のトランジスタのオフ動作時に前記共振コンデンサにそれぞれのトランジスタのコレクタ電流を流してソフトスイッチングを行わせるようにしたことを特徴とする昇降圧チョッパ回路。
【請求項２】
前記共振コンデンサに蓄えられた電荷を放出して前記共振コンデンサの電荷が零になった時点で前記第１のトランジスタをオンさせて零電圧スイッチングを行うことを特徴とする請求項１に記載の昇降圧チョッパ回路。
【請求項３】
降圧動作時の前記第１のトランジスタがオン動作する直前に前記共振コンデンサに蓄えられた電荷を放出して前記共振コンデンサの電荷が零になった時点で前記第１のトランジスタをオンさせることで零電圧スイッチングを行うとともに、
昇圧動作時の前記コンデンサへ流れている電流を零電圧スイッチング動作をする第１のトランジスタで一旦オフさせ、前記第２のトランジスタをオン動作させる直前に、前記共振コンデンサの電荷を放出して前記共振コンデンサの電荷が零になった時点で前記第１と第２のトランジスタをオン動作させることを特徴とする請求項１に記載の昇降圧チョッパ回路。
【請求項４】
直流電源１には第１のトランジスタと第１のダイオードの直列回路及び第２のトランジスタと第２のダイオードの直列回路が並列接続され、前記第１のトランジスタと第１のダイオードの直列回路の接続点と、前記第２のトランジスタと第２のダイオードの直列回路の接続点間に第１の共振リアクトルが接続され、
前記第２のトランジスタのエミッタとコレクタ間には第１の共振コンデンサが接続され、負荷に並列接続されているフィルタコンデンサには、第３のダイオードと第３のトランジスタの直列回路及び第４のダイオードと第４のトランジスタの直列回路が並列接続され、
前記第３のダイオードと第３のトランジスタの直列回路の接続点と、前記第４のダイオードと第４のトランジスタの直列回路の接続点間に第２のリアクトルが接続され、
前記第４のトランジスタには第２の共振コンデンサが接続され、前記第２のトランジスタと第２のダイオードの直列回路の接続点と前記第４のダイオードと第４のトランジスタの直列回路の接続点間に第３のリアクトルが接続されていることを特徴とする昇降圧チョッパ回路。
【請求項５】
前記第１と第２のトランジスタのオフ動作時に、前記共振コンデンサにコレクタ電流を移して零電圧スイッチングによるソフトスイッチング動作を行うことを特徴とする請求項４に記載の昇降圧チョッパ回路。
【請求項６】
前記第１の共振コンデンサに蓄えられた電荷を、前記第１のトランジスタをオンさせて放出し、前記共振コンデンサの電荷が零になった時点で前記第２のトランジスタをオンさせることにより零電圧スイッチングを行うことを特徴とする請求項４に記載の昇降圧チョッパ回路。
【請求項７】
昇圧動作時の前記フィルタコンデンサへ流れている電流を第２のトランジスタで一旦零電圧スイッチングでオフさせ、前記第４のトランジスタをオンさせる直前に、前記第１と第３のトランジスタをオンさせて前記共振コンデンサの電荷が零にして前記第２と第４のトランジスタをオン動作させて零電圧、零電流スイッチングとすることを特徴とする請求項４に記載の昇降圧チョッパ回路。
【発明の詳細な説明】
【技術分野】
【０００１】
本発明は昇降圧チョッパ回路に関し、スイッチング損失を低減し、高周波化を図った昇降圧チョッパ回路に関する。
【背景技術】
【０００２】
図３は、降圧チョッパ回路と昇圧チョッパ回路を従属接続した従来のカスケード方式の昇降圧チョッパ回路の回路図である。
【０００３】
図３に示す昇降圧チョッパ回路は、昇圧回路と降圧回路とを備え、降圧回路は直流電源１の電圧を負荷抵抗１４へ降圧して出力するために、トランジスタ４のオン・オフ動作のデューティ比を制御する。また、昇圧回路は直流電源１の電圧を負荷抵抗１４へ昇圧して出力するために、トランジスタ８のオン・オフ動作のデューティ比で入力の直流電源１にリアクトル７で蓄えたエネルギーを加算して昇圧する。
【０００４】
直流電源１にはトランジスタ４とダイオード６の直列回路が接続され、その接続点とダイオード１２とトランジスタ８の直列回路の接続点間にリアクトル７が接続されている。ダイオード１２とトランジスタ８の直列回路には並列に（フィルタ）コンデンサ１３が接続され、このコンデンサ１３には負荷（抵抗）１４が接続されている。
【０００５】
さて、図３において、直流電源１の電圧を負荷抵抗１４へ降圧して出力する場合、トランジスタ４のオン・オフ動作のデューティ比で出力電圧を降圧しており、この場合、トランジスタ８はオフ状態を継続し、降圧動作には関与しない。また、ダイオード１２も降圧動作には関与しないが、リアクトル７の電流が流れる。降圧動作は、トランジスタ４、ダイオード６、リアクトル７、コンデンサ１３によって成立している。
【０００６】
直流電源１の電圧を負荷抵抗１４へ昇圧して出力する場合、トランジスタ８のオン・オフ動作のデューティ比を制御して、入力の直流電源１にリアクトル７で蓄えたエネルギーを加算して昇圧動作としている。この時、トランジスタ４はオン状態を継続し、リアクトル７の電流を流すが、昇圧動作には関与しない。昇圧動作は、トランジスタ８、ダイオード１２、リアクトル７、コンデンサ１３の関連動作によって行われる。
【０００７】
図４には図３に示す従来の昇降圧チョッパ回路の動作を説明するための各部信号のタイミングチャートが示されている。
【０００８】
図４において、トランジスタ４のゲートには、降圧動作時には、ゲート信号（パルス）が所定周期で印加され（トランジスタがオン）、昇圧動作時には、継続的に印加される。また、トランジスタ８のゲートには昇圧動作時に所定周期でゲート信号（パルス）が印加される（トランジスタがオン）。
【０００９】
降圧動作時の動作は次のとおりである。
ダイオード６のカソード電圧は、トランジスタ４のオン動作時に直流電源電圧Ｅｉに至り、オフ動作時に電圧Ｅｉ-Ｅ２に低下する。一方、昇圧動作時には、ダイオード６のカソード電圧はＥｉである。トランジスタ４のコレクタ電流は、トランジスタ４のオン動作時に漸増し、オフすると零になる。ダイオード６に流れる電流は、トランジスタ４のオフ動作時に漸減する。したがって、フィルタリアクトル７に流れる電流は、図示のように増減を繰り返す。トランジスタ８のコレクターエミッタ（Ｃ−Ｅ）電圧は略一定となり、トランジスタ８のコレクタには電流は流れず、ダイオード１２に流れる電流は図示の如く増減を繰り返す。したがって、フィルタコンデンサ１３に印加される降圧電圧は、Ｅｉ−Ｅ２となる。
【００１０】
また、昇圧動作時の動作は次のとおりである。
ダイオード６のカソード電圧はＥｉ、トランジスタ４のコレクタ電流は増減を継続し、ダイオード６の電流は流れない。フィルタリアクトル７に流れる電流は、図示のように増減を繰り返す。トランジスタ８のコレクターエミッタ（Ｃ−Ｅ）電圧は、トランジスタ８のオフ動作時に一定値が生ずる。トランジスタ８のコレクタ電流は、トランジスタ８のオン動作時に漸増する。また、ダイオード１２に流れる電流は図示の如く、トランジスタ８のオフ動作時に漸減する電流が流れる。その結果、フィルタコンデンサ１３に印加される昇圧電圧は、Ｅ３を昇圧電圧差分とすると、Ｅｉ＋Ｅ３となる。
【発明の開示】
【発明が解決しようとする課題】
【００１１】
上述のように、図３に示すような従来の昇降圧チョッパ回路における降圧動作と昇圧動作ともにその動作に関与するトランジスタ４またはトランジスタ８のオン・オフ動作は、フィルタリアクトル電流が連続モードの場合にはハードスイッチング動作を行っている。
【００１２】
降圧動作時には、ダイオード６が導通状態時にトランジスタ４をオンさせるとダイオード６のリカバリー電流とトランジスタ４のオン電流によるスイッチング損失が発生する。トランジスタ６をオフさせるとリアクトル７の電流がトランジスタ４からダイオード６へ移る時にトランジスタ４のオフ時間にスイッチング損失が発生する。
【００１３】
また、昇圧動作時には、ダイオード１２が導通状態にトランジスタ８をオンさせるとダイオード１２のリカバリー電流とトランジスタ８のオン電流によるスイッチング損失が発生する。トランジスタ８をオフさせるとリアクトル７の電流がトランジスタ８からダイオード６へ移る時にトランジスタ８のオフ時間にスイッチング損失が発生する。
【００１４】
このスイッチング損失は回路の効率を悪化させ、スイッチング周波数の高周波化への妨げとなっている。
【００１５】
そこで、本発明の目的は、ハードスイッチング損失を低減させ、スイッチング周波数の高周波化を可能とする昇降圧チョッパ回路を提供することにある。
【課題を解決するための手段】
【００１６】
前述の課題を解決するため、本発明による昇降圧チョッパ回路は、次のような特徴的な構成を有する。
【００１７】
（１）直流電源に第１のトランジスタと第１のダイオードの直列回路が並列接続され、出力負荷側には、コンデンサ及び第２のダイオードと第２のトランジスタの直列回路が並列接続され、
前記第１のトランジスタと第１のダイオードの直列回路の接続点と第２のダイオードと第２のトランジスタの直列回路の接続点に第１のリアクトルが接続された昇降圧チョッパ回路において、
前記第１のトランジスタと第２のトランジスタのそれぞれのコレクタとエミッタ間には実効的な共振コンデンサが並列接続され、前記第１と第２のトランジスタのオフ動作時に前記共振コンデンサにそれぞれのトランジスタのコレクタ電流を流してソフトスイッチングを行わせるようにした昇降圧チョッパ回路。
【００１８】
（２）前記共振コンデンサに蓄えられた電荷を放出して前記共振コンデンサの電荷が零になった時点で前記第１のトランジスタをオンさせて零電圧スイッチングを行う上記（１）の昇降圧チョッパ回路。
【００１９】
（３）降圧動作時の前記第１のトランジスタがオン動作する直前に前記共振コンデンサに蓄えられた電荷を放出して前記共振コンデンサの電荷が零になった時点で前記第１のトランジスタをオンさせることで零電圧スイッチングを行うとともに、
昇圧動作時の前記コンデンサへ流れている電流を零電圧スイッチング動作をする第１のトランジスタで一旦オフさせ、前記第２のトランジスタをオン動作させる直前に、前記共振コンデンサの電荷を放出して前記共振コンデンサの電荷が零になった時点で前記第１と第２のトランジスタをオン動作させる上記（１）の昇降圧チョッパ回路。
【００２０】
（４）直流電源１には第１のトランジスタと第１のダイオードの直列回路及び第２のトランジスタと第２のダイオードの直列回路が並列接続され、前記第１のトランジスタと第１のダイオードの直列回路の接続点と、前記第２のトランジスタと第２のダイオードの直列回路の接続点間に第１の共振リアクトルが接続され、
前記第２のトランジスタのエミッタとコレクタ間には第１の共振コンデンサが接続され、負荷に並列接続されているフィルタコンデンサには、第３のダイオードと第３のトランジスタの直列回路及び第４のダイオードと第４のトランジスタの直列回路が並列接続され、
前記第３のダイオードと第３のトランジスタの直列回路の接続点と、前記第４のダイオードと第４のトランジスタの直列回路の接続点間に第２のリアクトルが接続され、
前記第４のトランジスタには第２の共振コンデンサが接続され、前記第２のトランジスタと第２のダイオードの直列回路の接続点と前記第４のダイオードと第４のトランジスタの直列回路の接続点間に第３のリアクトルが接続されている昇降圧チョッパ回路。
【００２１】
（５）前記第１と第２のトランジスタのオフ動作時に、前記共振コンデンサにコレクタ電流を移して零電圧スイッチングによるソフトスイッチング動作を行う上記（４）の昇降圧チョッパ回路。
【００２２】
（６）前記第１の共振コンデンサに蓄えられた電荷を、前記第１のトランジスタをオンさせて放出し、前記共振コンデンサの電荷が零になった時点で前記第２のトランジスタをオンさせることにより零電圧スイッチングを行う上記（４）の昇降圧チョッパ回路。
【００２３】
（７）昇圧動作時の前記フィルタコンデンサへ流れている電流を第２のトランジスタで一旦零電圧スイッチングでオフさせ、前記第４のトランジスタをオンさせる直前に、前記第１と第３のトランジスタをオンさせて前記共振コンデンサの電荷が零にして前記第２と第４のトランジスタをオン動作させて零電圧、零電流スイッチングとする上記（４）の昇降圧チョッパ回路。
【発明の効果】
【００２４】
本発明の昇降圧チョッパ回路によれば、ハードスイッチング損失を低減させ、スイッチング周波数の高周波化を可能とすることができる。
【実施例１】
【００２５】
以下、本発明による昇降圧チョッパ回路の好適実施例の構成および動作を、添付図面を参照して詳細に説明する。
【００２６】
本実施例は、図３に示す従来の昇降圧チョッパ回路に主スイッチングをソフトスイッチング動作させるために種々の回路を追加して構成されている。直流電源１にはトランジスタ２とダイオード１５の直列回路及びトランジスタ４とダイオード６の直列回路が並列接続され、トランジスタ２とダイオード１５の直列回路の接続点と、トランジスタ４とダイオード６の直列回路の接続点間に共振リアクトル３が接続されている。トランジスタ４のエミッタとコレクタ間には共振コンデンサ５が接続されている。負荷（抵抗）１４に並列接続されているフィルタコンデンサ１３には、ダイオード１６とトランジスタ１１の直列回路及びダイオード１２とトランジスタ８の直列回路が並列接続されている。ダイオード１６とトランジスタ１１の直列回路の接続点と、ダイオード１２とトランジスタ８の直列回路の接続点間にリアクトル１０が接続されている。トランジスタ８には共振コンデンサ９が接続されている。更に、トランジスタ４とダイオード６の直列回路の接続点とダイオード１２とトランジスタ８の直列回路の接続点間にリアクトル７が接続されている。
【００２７】
すなわち、図１に示す実施例では、昇降圧動作時にスイッチング動作する各々のトランジスタ４、８のコレクタとエミッタ間に共振コンデンサ５、９がそれぞれ付加され、トランジスタのオフ動作時に、共振コンデンサにコレクタ電流を移し、零電圧スイッチングによるソフトスイッチング動作を得ている。
【００２８】
次に、降圧動作時のトランジスタ４のオン動作は、補助スイッチとして用いるトランジスタ２、共振リアクトル３、共振リアクトル３のエネルギー回生用ダイオード１５を付加し、トランジスタ４がオン動作する直前に共振コンデンサ５に蓄えられた電荷を、トランジスタ２をオンさせ、共振リアクトル３とで共振させることにより放出する。共振コンデンサ５の電荷が零になった時点でトランジスタ４をオンさせることで零電圧スイッチングを行う。
【００２９】
昇圧動作のトランジスタ８のオン動作をソフトスイッチングとするために、直流電源１、トランジスタ４、フィルタリアクトル７、ダイオード１２を通してフィルタコンデンサ１３へ流れている電流をトランジスタ４で一旦オフさせる。このとき、トランジスタ４のオフ動作は上記どおり零電圧スイッチングとなる。トランジスタ４がオフするとダイオード１２の電流は零となり、共振コンデンサ５と９は直流電源電圧の１／２づつに充電される。
【００３０】
トランジスタ８をオンさせる直前に、トランジスタ２と１１をオンさせ共振コンデンサ５、共振リアクトル３および共振コンデンサ９、共振リアクトル１０による共振を行い、共振コンデンサ５と９の電荷が零になるとトランジスタ４と８をオンさせる。この時のオン動作は零電圧、零電流スイッチングとなる。
【００３１】
次に、図１に示す昇降圧チョッパ回路の動作を図２のタイミングチャートを参照しながら説明する。
【００３２】
（降圧動作の主スイッチオン）
フィルタリアクトル７に流れる電流は連続とする。主スイッチとなるトランジスタ４がオン動作する前にはダイオード６、フィルタリアクトル７、ダイオード１２を介してフィルタコンデンサ１３に電流が流れている。トランジスタ４のコレクタとエミッタ間の共振コンデンサ５は直流電源１の電圧Ｅｉに充電されている。トランジスタ４をオン動作させる直前に補助スイッチとなるトランジスタ２をオン動作させる。
【００３３】
共振コンデンサ５、共振リアクトル３及びトランジスタ２で共振し、やがて共振コンデンサ５の電荷は零となる。このときに、トランジスタ４をオン動作させるとトランジスタ４は零電圧スイッチングとなる。共振リアクトル３に蓄えられたエネルギーは、ダイオード１５を介して、フィルタリアクトル７、ダイオード１２を経てフィルタコンデンサ１３に流れる。
【００３４】
（降圧動作の主スイッチオフ）
トランジスタ４のオン動作時には共振コンデンサ５の電荷は零となっている。トランジスタ４がオフすると共振コンデンサ５は、
【数１】
2005185037.tif 000003
で充電される。
ここで、Ｃr1は共振コンデンサ５の容量、ｉc1は共振コンデンサ５に流れる電流、Ｅｉは直流電源１の電圧、Ｅ０は負荷電圧、ｔ１は共振コンデンサ５の充電時間を示す。
【００３５】
共振コンデンサ５の充電電流とダイオード６に流れる電流の合計がフィルタリアクトル７に流れる電流とする。トランジスタ４のオフ動作は共振コンデンサ５の電圧が零の状態で行う為、零電圧スイッチングとなる。
【００３６】
（昇圧動作の主スイッチオフ）
トランジスタ８がオンしている時には共振コンデンサ９の電荷は零となっており、この時、電流は直流電源１、トランジスタ４、フィルタリアクトル７、トランジスタ８から直流電源１へ戻る。
【００３７】
主スイッチのトランジスタ８をオフする共振コンデンサ９は、
【数２】
2005185037.tif 000004
で充電される。
ここで、Ｃr2は共振コンデンサ９の容量、ｉc２は共振コンデンサ９に流れる電流、ｔ２は共振コンデンサ９の充電時間を示す。
【００３８】
充電電流は、直流電源１、トランジスタ４、フィルタリアクトル７、共振コンデンサ９を経由して直流電源１に戻る。トランジスタ８のオフ動作は共振コンデンサ９の電圧が零の状態で行われるため零電圧スイッチングとなる。
【００３９】
（昇圧動作の主スイッチオン）
トランジスタ８をオン動作させる直前には、直流電源１、トランジスタ４、フィルタリアクトル７、ダイオード１２を経由してフィルタコンデンサ１３に電流が流れる。トランジスタ８をオン動作させる直前に先ずトランジスタ４をオフ動作させる。トランジスタ４のコレクタとエミッタ間に接続されている共振コンデンサ５は零電圧のため、トランジスタ４は零電圧スイッチング動作することになる。
【００４０】
ダイオード１２に流れる電流が零になるとトランジスタ２と１１をオン動作させ、共振コンデンサ５と９をそれぞれ共振リアクトル３と１０で共振させて共振コンデンサの電圧を零とする。この時にトランジスタ４と８を零電圧スイッチングでオン動作させる。直流電源１、トランジスタ４、フィルタリアクトル７、トランジスタ８の経路で直流電源へ戻る。
【００４１】
このように、本実施例によれば、主スイッチのトランジスタはオン、オフ動作がソフトスイッチングで行われる。
【００４２】
上述実施例では、フィルタリアクトル電流が連続で使用されているが、フィルタリアクトル電流が非連続の場合にも使用することができる。
【００４３】
図２には、図１に示す本発明による昇降圧チョッパ回路の動作を説明するための各部信号のタイミングチャートが示されている。図２の前半部分が降圧動作を、後半部分が昇圧部分を示す。
【００４４】
図２において、トランジスタ２のゲートには、ゲート信号（パルス）が所定周期で印加され、オン動作する。トランジスタ４のゲートには、トランジスタ２のゲートに印加されるゲート信号に同期してゲート信号（パルス）が所定周期で印加され、オンする。トランジスタ８と１１のゲートには、昇圧動作時に、図示の如くゲート信号が印加される。
【００４５】
上記回路構成において、ダイオード６のカソード電圧は、トランジスタ４のオン動作によるコレクタ電流の増加に伴い、直流電圧Ｅｉまで上昇し、トランジスタ４のオフ動作により電圧Ｅｉ-Ｅ２まで下降し、再びトランジスタ４のオン動作によるコレクタ電流の増加に伴い、直流電圧Ｅｉまで上昇するという動作サイクルを繰り返す。したがって、ダイオード６に流れる電流は、トランジスタ４のオフ動作時に流れ、フィルタリアクトル７に流れる電流は、図示の如く変化をし、トランジスタ４のオン・オフ切り替わり時の電流は略ゼロとなりソフトスイッチング動作が実現される。
【００４６】
このとき、トランジスタ８のコレクタとエミッタ（Ｃ−Ｅ）間の電圧は、降圧動作時には一定電圧で、昇圧動作時には上記一定電圧より高い電圧に至る。トランジスタ８のコレクタ電流は、オン動作時に図示のように流れる。
【００４７】
また、ダイオード１２に流れる電流は、降圧動作時にはフィルタリアクトル７に流れる電流と同様な電流となる。昇圧動作時には図のように間欠的に流れる。
【００４８】
その結果、フィルタコンデンサ１３の電圧は、降圧動作時にはＥｉ−Ｅ２になり、昇圧動作時にはＥｉ＋Ｅ３になる。
【００４９】
以上で説明した本発明による昇降圧チョッパ回路は、以下のように定義することができる。
【００５０】
降圧チョッパ回路と昇圧チョッパ回路をリアクトルを介して前後に変換回路を接続した、カスケード方式昇降圧チョッパ回路において、
降圧用主スイッチの両端に共振用コンデンサを接続し、主スイッチと環流用ダイオードの中間点に共振用リアクトルの一端を接続し、共振リアクトルのもう一端を補助スイッチと共振リアクトルエネルギー回生用のダイオードから成る補助アームを接続し、主スイッチと環流用ダイオード中間点にさらにフィルタリアクトルの一端を接続し、
前記フィルタリアクトルのもう一端を昇圧用主スイッチと環流用ダイオードのアノード側に接続し、昇圧用スイッチの両側に共振用コンデンサを接続し、環流用ダイオードのアノード側に共振リアクトルの一端を接続し、共振リアクトルのもう一端を共振リアクトルエネルギー回生用のダイオードと補助スイッチから成る補助アームに接続し、環流用ダイオードのカソード側をフィルタコンデンサの正極へ接続し、負極を直流電源の負極へ接続する構成の昇降圧チョッパ回路。
【００５１】
また、降圧チョッパ動作において、オン時は降圧補助アームによる降圧主スイッチ両端のコンデンサ電荷を零としてからオン動作させ、降圧主スイッチオフ時は主スイッチ両端の共振コンデンサによる零電圧オフ動作とし、昇圧チョッパ動作において、オフ時は昇圧主スイッチ両側の共振コンデンサによる零電圧オフ動作とし、昇圧主スイッチオン直前に、従属接続された降圧主スイッチを零電圧スイッチングでオフし、昇圧環流用ダイオード電流を零とし、その後、降圧補助スイッチと昇圧補助スイッチをオンさせ降圧、昇圧主スイッチの共振コンデンサ電位を零としてから降圧、昇圧主スイッチを零電圧・零電流でオンする昇降圧チョッパ回路。
【００５２】
以上、本発明の昇降圧チョッパ回路の好適実施形態例を説明したが、これは単なる例示にすぎず、特定用途に応じて種々の変形変更が可能であることは勿論である。例えば、主スイッチの両端に接続するコンデンサは主スイッチの既製コンデンサを利用してもよい。共振周波数は共振リアクトルと共振コンデンサから求められることができることは明らかである。
【図面の簡単な説明】
【００５３】
【図１】本発明による昇降圧チョッパ回路の一実施例を示す回路図である。
【図２】図１に示す昇降圧チョッパ回路の動作を説明するための各部信号のタイミングチャートである。
【図３】従来の昇降圧チョッパ回路の一実施例を示す回路図である。
【図４】図３に示す従来の昇降圧チョッパ回路の動作を説明するための各部信号のタイミングチャートである。
【符号の説明】
【００５４】
１                  直流電源
２、４、８、１１    トランジスタ
３、１０            共振リアクトル
５、９              共振コンデンサ
６、１２            ダイオード
７                  フィルタリアクトル
１３                フィルタコンデンサ
１４                負荷（抵抗）
１５                補助用ダイオード
１６                補助用ダイオード
【図１】
2005185037.tif 000005
【図２】
2005185037.tif 000006
【図３】
2005185037.tif 000007
【図４】
2005185037.tif 000008